(57)【特許請求の範囲】
【請求項１】
上位制御手段から出力される各色タイミング制御信号に基づく射出タイミングで、それぞれ対応する色の光を順次射出する光源装置において、
前記各色タイミング制御信号に基づいて、各色の光がそれぞれ射出される各射出期間の間に設定される所定の色切り替わり猶予期間内で該各色タイミング制御信号に対応する予定射出タイミングよりも早い射出タイミングで各色の光が順次射出されるように、各色光の射出タイミングを制御する射出タイミング制御手段を有し、
前記各色タイミング制御信号は、対応する色光を射出する期間を示す信号値と射出しない期間を示す信号値とをもつものであり、
前記射出タイミング制御手段は、前記各色タイミング制御信号の信号値変化が発生したことを検知することにより、該各色タイミング制御信号が示す射出タイミングを取得し、取得した射出タイミングよりも早い射出タイミングを示す各色の補正後タイミング制御信号を生成し、生成した各色の補正後タイミング制御信号が示す射出タイミングで各色の光が順次射出されるように制御することを特徴とする光源装置。
【請求項２】
請求項１に記載の光源装置において、
当該光源装置から射出する複数色の光の循環周期を検知する色循環周期検知手段と、
前記各色タイミング制御信号が示す射出タイミングに対する各色の補正後タイミング制御信号の補正量を決定するための補正情報を記憶する補正情報記憶手段とを備え、
前記射出タイミング制御手段は、前記色循環周期検知手段が検知した循環周期と前記補正情報記憶手段に記憶されている補正情報とに基づいて、取得した前記各色タイミング制御信号が示す射出タイミングから前記各色の補正後タイミング制御信号を生成することを特徴とする光源装置。
【請求項３】
請求項２に記載の光源装置において、
前記色循環周期検知手段は、当該光源装置から射出する複数色の光の循環周期に同期した同期信号に基づいて前記循環周期を検知することを特徴とする光源装置。
【請求項４】
請求項３に記載の光源装置において、
当該光源装置から射出する複数色の光の循環周期に同期して回転駆動する回転駆動手段と、
前記回転駆動手段の回転周期を検知する回転検知手段とを備え、
前記色循環周期検知手段は、前記回転検知手段の検知結果信号を前記同期信号として用いることを特徴とする光源装置。
【請求項５】
請求項２に記載の光源装置において、
前記色循環周期検知手段は、前記各色タイミング制御信号のうちの少なくとも１つのタイミング制御信号における信号値が変化する時間間隔を計測することにより、前記循環周期を検知することを特徴とする光源装置。
【請求項６】
請求項２乃至５のいずれか１項に記載の光源装置において、
前記射出タイミング制御手段は、前記色循環周期検知手段が検知した循環周期と前記補正情報記憶手段に記憶されている補正情報とに基づいて所定の遅延時間を取得し、前記各色タイミング制御信号が示す射出タイミングを該所定の遅延時間分だけ遅延させることにより、該各色タイミング制御信号から前記各色の補正後タイミング制御信号を生成することを特徴とする光源装置。
【請求項７】
請求項６に記載の光源装置において、
前記射出タイミング制御手段は、前記各色タイミング制御信号ごとに、当該光源装置から射出する複数色の光の一循環周期内に当該タイミング制御信号の信号値変化が発生する回数以上の計時手段を有し、該信号値変化が発生するたびに各計時手段を選択して計時を開始させ、各計時手段が前記所定の遅延時間分の計測を終了するたびに、対応する信号値をもつ補正後タイミング制御信号を生成することを特徴とする光源装置。
【請求項８】
請求項２乃至５のいずれか１項に記載の光源装置において、
前記射出タイミング制御手段は、前記色循環周期検知手段が検知した循環周期に対して前記各色タイミング制御信号の信号値変化が発生するタイミングを取得し、取得した各タイミングを前記補正情報記憶手段に記憶されている補正情報に基づいて補正した補正後のタイミングで信号値が変化する各色の補正後タイミング制御信号を生成することを特徴とする光源装置。
【請求項９】
光源装置と、
照射される光を画像信号に基づいて画像光に変調する表示素子と、
前記光源装置から射出される光を前記表示素子に照射する照明光学系と、
前記表示素子によって変調された画像光を投射する投射光学系と、
前記光源装置から各色の光がそれぞれ射出される各射出期間の間に設定される所定の色切り替わり猶予期間の開始タイミングと終了タイミングに基づいて上記表示素子を制御する上位制御手段とを有する画像投射装置であって、
前記光源装置として、請求項１乃至８のいずれか１項に記載の光源装置を用いることを特徴とする画像投射装置。
【発明の詳細な説明】
【技術分野】
【０００１】
本発明は、光源装置及びこれを備えた画像投射装置に関するものである。
【背景技術】
【０００２】
従来、既存のコントローラ（上位制御手段）から出力される各色タイミング制御信号が示す射出タイミングでそれぞれ対応する色の光を順次射出する光源装置が知られている。
【０００３】
特許文献１には、半導体発光素子の発光により複数色の光を時分割で循環的に出射する光源装置が開示されている。この光源装置は、その光源装置からの各色の光をマイクロミラー素子（画像形成手段）で反射して光像を形成し、形成した光像をスクリーンに向けて投射するプロジェクタ等の画像投射装置に利用される。
【発明の概要】
【発明が解決しようとする課題】
【０００４】
画像投射装置においては、マイクロミラー素子の制御タイミングと、光源装置から射出される各色光の切り換えタイミングとの間で同期をとる必要がある。そのため、一般に、マイクロミラー素子（表示素子）を制御する制御デバイス（上位制御手段）は、マイクロミラー素子への制御信号とは別に、光源装置へ各色タイミング制御信号を出力する。光源装置は、入力された各色タイミング制御信号が示す射出タイミングで、それぞれ対応する色の光が順次射出されるように、光源装置の各部を制御する。これにより、マイクロミラー素子の制御タイミングと、光源装置から射出される各色光の切り換えタイミングとの間で同期をとることができる。
【０００５】
マイクロミラー素子（表示素子）を制御する既存の制御デバイスは、光源装置から射出される各色の光を画像表示に用いる各表示期間の間に色切り替わり猶予期間（スポーク期間）Ｔｓを設定した仕様となっている。具体的には、既存の制御デバイスは、設定されたスポーク期間Ｔｓの開始タイミングと終了タイミングによって区画される各表示期間にそれぞれの色の画像が出力されるように、マイクロミラー素子の制御タイミングを制御する。そして、既存の制御デバイスから出力される各色タイミング制御信号のＯＮ／ＯＦＦタイミングは、設定されたスポーク期間Ｔｓの中央時点となるように設定している。
【０００６】
ここで、ＬＤの駆動電流Ｉ＿ＬＤは、既存の制御デバイスから出力されるタイミング制御信号がＯＮ又はＯＦＦになったタイミングで切り換えられるが、切り換え後の駆動電流値に安定するまでにはある程度の時間を要する。既存の制御デバイスから出力されるタイミング制御信号がＯＮ又はＯＦＦになるのは、設定されたスポーク期間Ｔｓの中央時点であるため、設定されたスポーク期間Ｔｓの半分の時間（Ｔｓ／２）以内に駆動電流値を安定させることが必要である。すなわち、既存の制御デバイスから出力されるタイミング制御信号に基づいて射出する光の色を切り換える光源装置では、このスポーク期間Ｔｓの半分の時間（Ｔｓ／２）以内に駆動電流値が安定化するような光源に制限される。
【０００７】
しかしながら、近年、光源装置には高出力化が求められ、光源装置に用いられる光源として発光出力の高い光源の採用が必要になってきている。このような光源は、高い発光出力を得るために大きな駆動電流値を必要とするため、駆動電流値を変更した際に駆動電流値が安定するまでに要する時間が長くなる。このような光源は、スポーク期間Ｔｓの半分の時間（Ｔｓ／２）以内に駆動電流値を安定化させることが難しい。そのため、既存の制御デバイスから出力されるタイミング制御信号に基づいて射出する光の色を切り換える光源装置には、このような発光出力の高い光源を採用することが困難であった。
【０００８】
なお、この課題は、各色の表示期間の間にスポーク期間Ｔｓが設定された上位制御手段からの各色タイミング制御信号に基づく射出タイミングで、それぞれ対応する色の光を順次射出する光源装置であれば生じ得る課題である。したがって、光源からの紫外光をカラーホイール上の蛍光層に当てて生成した各色の光を順次射出する光源装置に限らず、可視光の光源を用いて光源からの光と蛍光層で生成した色の光とを組み合わせて各色の光を順次射出する光源装置や、射出する色ごとに個別の光源を備え、各光源からの光を切り換えて各色の光を順次射出する光源装置など、他の光源装置であっても同様の課題が生じ得る。
【課題を解決するための手段】
【０００９】
上述した課題を解決するため、本発明は、上位制御手段から出力される各色タイミング制御信号に基づく射出タイミングで、それぞれ対応する色の光を順次射出する光源装置において、前記各色タイミング制御信号に基づいて、各色の光がそれぞれ射出される各射出期間の間に設定される所定の色切り替わり猶予期間内で該各色タイミング制御信号に対応する予定射出タイミングよりも早い射出タイミングで各色の光が順次射出されるように、各色光の射出タイミングを制御する射出タイミング制御手段を有し、前記各色タイミング制御信号は、対応する色光を射出する期間を示す信号値と射出しない期間を示す信号値とをもつものであり、前記射出タイミング制御手段は、前記各色タイミング制御信号の信号値変化が発生したことを検知することにより、該各色タイミング制御信号が示す射出タイミングを取得し、取得した射出タイミングよりも早い射出タイミングを示す各色の補正後タイミング制御信号を生成し、生成した各色の補正後タイミング制御信号が示す射出タイミングで各色の光が順次射出されるように制御することを特徴とする。
【発明の効果】
【００１０】
本発明によれば、既存の制御デバイスで構成される上位制御手段から出力されるタイミング制御信号を利用しつつ、より発光出力の高い光源を採用することが可能になるという優れた効果が奏される。
【図面の簡単な説明】
【００１１】
【図１】実施形態におけるプロジェクタの一例を模式的に示した模式図である。
【図２】同プロジェクタの光源装置の光源部を模式的に示した模式図である。
【図３】同光源装置における蛍光ホイールの構造の一例を示す正面図である。
【図４】同光源装置における光源制御部の一例を概略的に示したブロック図である。
【図５】同光源制御部のタイミング補正部における赤色のタイミング制御信号に関する部分の制御ブロック図である。
【図６】同タイミング補正部における緑色のタイミング制御信号に関する部分の制御ブロック図である。
【図７】同タイミング補正部における青色のタイミング制御信号に関する部分の制御ブロック図である。
【図８】図５に示す赤色のタイミング制御信号の部分に関するタイミング補正部の動作を示すタイミングチャートである。
【図９】実施形態における各色の補正後タイミング制御信号を示すタイミングチャートである。
【図１０】変形例における光源制御部の一例を概略的に示したブロック図である。
【図１１】変形例のタイミング補正部の制御ブロック図である。
【図１２】同タイミング補正部を構成する補正計測部の制御ブロック図である。
【図１３】同タイミング補正部を構成する補正出力部の制御ブロック図である。
【図１４】従来の光源装置から出力される光の色と、既存の制御デバイスから出力される各色タイミング制御信号と、ＬＤの駆動電流値とを示すタイミングチャートである。
【発明を実施するための形態】
【００１２】
以下、本発明に係る光源装置を、画像投射装置としてのプロジェクタの光源装置として用いた一実施形態について説明する。
本実施形態のプロジェクタに用いられる光源装置は、赤色、青色、緑色の３原色光に黄色を追加した合計４色の光を時分割で射出するものであるが、これに限るものではない。
【００１３】
図１は、本実施形態におけるプロジェクタ２００の一例を模式的に示した模式図である。
図２は、本プロジェクタ２００の光源装置１の光源部を模式的に示した模式図である。
本光源装置１は、主に、光源部１０と、光源制御部２０とから構成される。光源部１０は、図２に示すように、光源としてのＬＤモジュール２と、回転体としての蛍光ホイール４と、蛍光ホイール４を回転駆動する駆動源としてのモータ５と、各種光学手段とから構成される。蛍光ホイール４上には、波長変換部としての蛍光体の層が設けられており、本実施形態では、蛍光ホイール４及びモータ５によって、蛍光体層を周回移動させる周回移動手段が構成される。
【００１４】
本実施形態における光源装置１は、ＬＤモジュール２から射出される所定波長帯の光を蛍光ホイール４上の蛍光体層に照射することで、蛍光体層から当該所定波長帯とは異なる別の波長帯の光が射出される。本光源装置１は、ＬＤモジュール２から射出される光と、蛍光ホイール４上の蛍光体層から射出される光とが時分割で周期的に連続して外部へ出力される。
【００１５】
本プロジェクタ２００には、表示素子２０５を制御する上位制御手段としての本体制御処理部２０１が設けられている。この本体制御処理部２０１は、例えば、表示素子２０５を駆動する専用コントローラＩＣで構成され、既存の市販品を用いることで安価で且つ信頼性の高い制御を実現できる。本体制御処理部２０１に入力される信号ＣＴＲＬは、外部装置やユーザー操作パネルなどによって光源装置１を制御する、あるいは、光源装置１の状態を外部装置やユーザー操作パネルなどに出力するための制御信号である。この制御信号ＣＴＲＬのやりとりは、例えば、Ｉ２ＣバスやＳＰＩなどのシリアル通信インターフェース等を用いて、対応するコマンドやデータを入出力することにより実現できる。
【００１６】
本体制御処理部２０１の制御部２０１Ａは、制御信号ＣＴＲＬによって起動命令を受信すると、モータ駆動信号ＭＤを出力して、蛍光ホイール４を回転駆動させるモータ５を起動する。モータ５には、その回転状態を検出する検出手段が内蔵あるいは外付けされており、回転検出信号ＭＸを出力する。制御部２０１Ａは、回転検出信号ＭＸを受信してモータ５の回転状態を検知する。そして、制御部２０１Ａは、モータ５が所定の回転速度に達したことを検知すると、その回転周期に同期した赤、緑、青の各色のタイミング制御信号Ｒ＿ＥＮ，Ｇ＿ＥＮ，Ｂ＿ＥＮを生成して光源装置１の光源制御部２０へ出力する。これらのタイミング制御信号Ｒ＿ＥＮ，Ｇ＿ＥＮ，Ｂ＿ＥＮは、それぞれ、光源装置１から各色の光が射出されるタイミングを示す制御信号である。
【００１７】
また、制御部２０１Ａは、これらのタイミング制御信号Ｒ＿ＥＮ，Ｇ＿ＥＮ，Ｂ＿ＥＮに基づいて、ＬＤ２Ａの発光量を制御するＬＤ発光量制御データを、インターフェースＤＢにより光源装置１の光源制御部２０へ出力する。
【００１８】
光源制御部２０は、ＬＤ発光量制御データの受信を正常に完了すると、受信確認信号（Ａｃｋｎｏｗｌｅｄｇｅ）をインターフェースＤＢより制御部２０１Ａへ送信する。制御部２０１Ａはこの受信確認信号を受信すると、ＬＤ２Ａの駆動準備が完了したと判断して、ＬＤ２Ａの駆動を許可する駆動許可信号ＯＥを光源制御部２０へ出力する。光源制御部２０は、内部でＬＤ２Ａを制御する準備が完了し、かつ、駆動許可信号ＯＥを受信することで、各色タイミング制御信号Ｒ＿ＥＮ，Ｇ＿ＥＮ，Ｂ＿ＥＮとＬＤ発光量制御データに基づいて、ＬＤ駆動電流Ｉ＿ＬＤを生成して光源部１０へ出力する。
【００１９】
光源部１０におけるＬＤモジュール２のＬＤ２Ａは、ＬＤ駆動電流Ｉ＿ＬＤによって駆動され、所定波長帯のレーザー光を射出する。本実施形態では、青色の波長帯域のレーザー光を射出するＬＤ２Ａを用いているが、これに限らず、他の波長帯域のレーザー光を射出するものを用いてもよい。また、本実施形態においては、ＬＤ２Ａを複数個用いてモジュール化したＬＤモジュール２を光源として用いている。ＬＤモジュール２は、各ＬＤ２Ａに対応したコリメータレンズ群２Ｂを備えており、各ＬＤ２Ａから射出されるレーザー光を平行光にコリメートする。ＬＤモジュール２の筐体は、複数のＬＤ２Ａとコリメータレンズ群２Ｂを所望の位置に保持するとともに、ＬＤ２Ａから発生する熱を放熱してＬＤ２Ａの温度上昇を所定範囲内に抑えるヒートシンクの機能を兼ね備える。
【００２０】
図３は、蛍光ホイール４の構造の一例を示す正面図である。
ＬＤモジュール２から射出される複数の青色レーザー光Ｂは、第１集光光学系６Ａによって集光され、第１ダイクロイックミラー７Ａを通して第２集光光学系６Ｂによって更に集光されて蛍光ホイール４に導かれる。蛍光ホイール４は、例えば、図３に示すように、金属などの円盤状の基盤４Ａの一方の盤面上に、波長変換部材としての蛍光体が周方向に成膜された構造になっている。詳しくは、蛍光ホイール４上には、互いに異なる複数の波長帯域の光を蛍光する複数種類の蛍光体層、具体的には、赤蛍光体層４Ｒと黄蛍光体層４Ｙと緑蛍光体層４Ｇとが設けられている。赤蛍光体層４Ｒは、青色波長帯域の光Ｂが照射されると、赤色の波長帯域の光Ｒを射出する蛍光体を含んだ層である。同様に、緑蛍光体層４Ｇ及び黄蛍光体層４Ｙは、青色波長帯域の光Ｂが照射されると、それぞれ、緑色及び黄色の波長帯域の光Ｇ，Ｙを射出する蛍光体が含まれている。また、本実施形態１において、蛍光ホイール４の基盤４Ａの一部には、照射される青色レーザー光Ｂが透過するための透過部４Ｃが、例えば基盤を切り欠くなどの方法で設けられている。
【００２１】
蛍光ホイール４上には、図３に示すように、各蛍光体層４Ｒ，４Ｙ，４Ｇ及び透過部４Ｃが、半周に１つずつ、合計２つずつ配置されている。モータ５の駆動力によって蛍光ホイール４が回転駆動することにより、各蛍光体層４Ｒ，４Ｙ，４Ｇ及び透過部４Ｃが、青色レーザー光Ｂの経路を横切るように、蛍光ホイール４が配置されている。これにより、第２集光光学系６Ｂを通して導かれた青色レーザー光Ｂが、回転駆動する蛍光ホイール４上の赤蛍光体層４Ｒを照射する期間では赤色波長帯域の光Ｒが生成され、緑蛍光体層４Ｇを照射する期間では緑色波長帯域の光Ｇが生成され、黄蛍光体層４Ｙを照射する期間では黄色波長帯域の光Ｙが生成され、透過部４Ｃを透過する期間では青色レーザー光Ｂが蛍光ホイール４を透過する。
【００２２】
各蛍光体層４Ｒ，４Ｙ，４Ｇで生成された各色波長帯の光Ｒ，Ｙ，Ｇは、第２集光光学系６Ｂによって集光され、第１ダイクロイックミラー７Ａに導かれる。第１ダイクロイックミラー７Ａは、青色の波長帯域光Ｂを透過し、その他の波長帯域光を反射する特性を備える。よって、ＬＤモジュール２から射出される青色レーザー光Ｂについては、第１ダイクロイックミラー７Ａを透過するが、蛍光ホイール４上の各蛍光体層４Ｒ，４Ｙ，４Ｇで生成された各色波長帯の光（青色波長帯域とは別の波長帯域の光）Ｒ，Ｙ，Ｇは、第１ダイクロイックミラー７Ａで反射される。第１ダイクロイックミラー７Ａで反射した各蛍光体層４Ｒ，４Ｙ，４Ｇからの光Ｒ，Ｙ，Ｇは、第１リレーレンズ８Ａ、第１反射ミラー９Ａ、第２リレーレンズ８Ｂを通して第２ダイクロイックミラー７Ｂに導かれる。第２ダイクロイックミラー７Ｂは、青色の波長帯域光Ｂを反射し、その他の波長帯域光を透過する特性を備える。よって、各蛍光体層４Ｒ，４Ｙ，４Ｇからの光Ｒ，Ｙ，Ｇは、第２ダイクロイックミラー７Ｂを透過し、第４リレーレンズ８Ｄを通して本光源装置１から外部へ出力される。
【００２３】
一方、蛍光ホイール４上の透過部４Ｃを通過した青色レーザー光Ｂは、第３集光光学系６Ｃによって集光され、第２反射ミラー９Ｂ及び第３リレーレンズ８Ｃを通して第２ダイクロイックミラー７Ｂに導かれる。上述したとおり、第２ダイクロイックミラー７Ｂは、青色の波長帯域光Ｂを反射する特性を備えるので、第２ダイクロイックミラー７Ｂに導かれる青色レーザー光Ｂは、第２ダイクロイックミラー７Ｂで反射し、第４リレーレンズ８Ｄを通して本光源装置１から外部へ出力される。
【００２４】
このように、本実施形態１においては、回転駆動する蛍光ホイール４の半周期に相当する周期で、ＬＤモジュール２からの青色レーザー光Ｂ、蛍光ホイール４上の赤蛍光体層４Ｒからの赤色光Ｒ、蛍光ホイール４上の黄蛍光体層４Ｙからの黄色光Ｙ、蛍光ホイール４上の緑蛍光体層４Ｇからの緑色光Ｇが、光源装置１の同一箇所から順次出力される。
【００２５】
また、本体制御処理部２０１の制御部２０１Ａは、外部から入力される映像信号ＶＩＮとモータ５の回転検出信号ＭＸとに基づいて、色ごとの色切り替わり開始タイミング及び終了タイミング（すなわちスポーク期間の終了タイミングと開始タイミング）を設定するデータＳＯＣＣ，ＥＯＣＣを生成して、本体制御処理部２０１の表示駆動部２０１Ｂへ出力する。
【００２６】
表示駆動部２０１Ｂは、映像信号ＶＩＮが入力されると、制御部２０１Ａから出力される色切り替わり開始タイミングデータＳＯＣＣ及び色切り替わり終了タイミングデータＥＯＣＣに基づいて、光源装置１から射出される光の各色に対応した表示信号を生成し、表示素子２０５を駆動する表示制御信号ＶＤＯに変換して出力する。これによって表示素子２０５に入射した照明光は画像光に変調され、投射レンズ群２０６を通してスクリーンなどに投影され、画像が表示される。表示素子２０５としては、例えば、それぞれが表示画像の各画素を構成し、入射する照明光に対する角度を制御することにより照明光を画像光に変調するＤＭＤ（Digital Micro mirror Device）を使用することができる。
【００２７】
図１４は、従来の光源装置から出力される光の色と、本体制御処理部２０１を構成する既存の制御デバイスから出力される各色タイミング制御信号と、ＬＤ（Laser Diode）の駆動電流値とを示すタイミングチャートである。
この例に係る光源装置は、ＬＤ（光源）から射出される紫外光を１又は２以上のカラーホイール上に設けられる赤（Ｒｅｄ）、緑（Ｇｒｅｅｎ）、青（Ｂｌｕｅ）、黄（Ｙｅｌｌｏｗ）の各蛍光層に当てることで、赤、緑、青、黄の各色の光を生成して順次射出する。この光源装置では、既存の制御デバイスから出力される各色のタイミング制御信号とカラーホイールの回転とが同期するようにカラーホイールの駆動制御がなされている。
【００２８】
図１４に示すように、既存の制御デバイスで構成される本体制御処理部２０１から出力される各色タイミング制御信号が、緑色タイミング制御信号Ｇ＿ＥＮについてはＯＮ（Ｈレベル）であり、他色のタイミング制御信号Ｒ＿ＥＮ，Ｂ＿ＥＮについてはＯＦＦ（Ｌレベル）である期間（Ｇｒｅｅｎ表示期間Ｔｇ）は、緑色表示に適した目標駆動電流値が流れるようにＬＤの駆動電流Ｉ＿ＬＤが制御される。
同様に、赤色タイミング制御信号Ｒ＿ＥＮについてはＯＮ（Ｈレベル）であり、他色のタイミング制御信号Ｇ＿ＥＮ，Ｂ＿ＥＮについてはＯＦＦ（Ｌレベル）である期間（Ｒｅｄ表示期間Ｔｒ）は、赤色表示に適した目標駆動電流値が流れるようにＬＤの駆動電流Ｉ＿ＬＤが制御される。
同様に、青色タイミング制御信号Ｂ＿ＥＮについてはＯＮ（Ｈレベル）であり、他色のタイミング制御信号Ｒ＿ＥＮ，Ｇ＿ＥＮについてはＯＦＦ（Ｌレベル）である期間（Ｂｌｕｅ表示期間Ｔｂ）は、青色表示に適した目標駆動電流値が流れるようにＬＤの駆動電流Ｉ＿ＬＤが制御される。
同様に、赤色タイミング制御信号Ｒ＿ＥＮと緑色タイミング制御信号Ｇ＿ＥＮについてはＯＮ（Ｈレベル）であり、青色のタイミング制御信号Ｂ＿ＥＮについてはＯＦＦ（Ｌレベル）である期間（Ｙｅｌｌｏｗ表示期間Ｔｙ）は、黄色表示に適した目標駆動電流値が流れるようにＬＤの駆動電流Ｉ＿ＬＤが制御される。
【００２９】
カラーホイール上に当たる紫外光のスポット面積はある程度の大きさをもつので、色の切り替わりの際に、切り替わり前後の蛍光層にそれぞれ紫外光の一部が同時に当たる期間が生じる。この期間は、スポーク期間と呼ばれ、切り替わり前後の蛍光層からの各光が混色した混色光が射出されることになる。そのため、このスポーク期間に光源装置から射出される光を画像表示に用いない制御や、このスポーク期間に光源装置から射出される光を混色光の色として画像表示に利用する制御などが必要になる。
【００３０】
このような制御を実現するため、本体制御処理部２０１を構成する既存の制御デバイスは、光源装置から射出される各色の光を画像表示に用いる各表示期間Ｔｇ，Ｔｒ，Ｔｂ，Ｔｙの間に色切り替わり猶予期間（スポーク期間）Ｔｓを設定した仕様となっている。具体的には、既存の制御デバイスは、設定されたスポーク期間Ｔｓの開始タイミングと終了タイミングによって区画される各表示期間Ｔｇ，Ｔｒ，Ｔｂ，Ｔｙにそれぞれの色の画像が出力されるように、マイクロミラー素子の制御タイミングを制御する。そして、既存の制御デバイスから出力される各色タイミング制御信号のＯＮ／ＯＦＦタイミングは、設定されたスポーク期間Ｔｓの中央時点となるように設定している。
【００３１】
ここで、ＬＤの駆動電流Ｉ＿ＬＤは、本体制御処理部２０１を構成する既存の制御デバイスから出力されるタイミング制御信号がＯＮ又はＯＦＦになったタイミングで切り換えられるが、切り換え後の駆動電流値に安定するまでにはある程度の時間を要する。特に、高い発光出力を得るために大きな駆動電流値を必要とする光源を採用する場合には、駆動電流値を変更した際に駆動電流値が安定するまでに要する時間が長くなる。このような光源は、スポーク期間Ｔｓの半分の時間（Ｔｓ／２）以内に駆動電流値を安定化させることが難しい。そのため、既存の制御デバイスから出力されるタイミング制御信号に基づいて射出する光の色を切り換える光源装置には、このような発光出力の高い光源を採用することが困難である。
【００３２】
図４は、本実施形態における光源制御部２０の一例を概略的に示したブロック図である。
ＭＰＵ２１は、インターフェースＤＢにより、各色光に対応するＬＤ発光量制御データを受信すると、これをメモリ２２に記憶する。ここで、符号ＡＤ０〜ＡＤ２で示す信号はメモリ２２のアドレス信号であり、符号ＭＢはデータの書き込みまたは読み出しバスである。以下の説明では、アドレス信号ＡＤ０は、赤色のＬＤ発光量制御データが記録されるメモリ領域のアドレスを示す信号であり、アドレス信号ＡＤ１は、緑色のＬＤ発光量制御データが記録されるメモリ領域のアドレスを示す信号であり、アドレス信号ＡＤ２は、青色のＬＤ発光量制御データが記録されるメモリ領域のアドレスを示す信号であるものとする。メモリ２２は、後述するバッファ２３のバッファ制御信号ＥＮＢがＬレベルのときに書き込み、Ｈレベルのときに読み出しモードになるように、ＭＰＵ２１によって制御される。
【００３３】
また、ＭＰＵ２１は、モータ５の回転検出信号ＭＸから色の循環周期を検知し、検知した循環周期と内部に保持している補正基準データとから、各色タイミング制御信号Ｒ＿ＥＮ，Ｇ＿ＥＮ，Ｂ＿ＥＮのタイミングを補正するための補正制御データＳＤを算出し、タイミング補正部２４に出力する。
【００３４】
ＭＰＵ２１は、以上の動作を終了すると、本体制御処理部２０１の制御部２０１Ａからの駆動許可信号ＯＥが受信されていることを条件に、後段のＤＡＣ（Ｄ／Ａコンバータ）２５の出力を許可する出力許可信号ＬＥを出力する。
【００３５】
タイミング補正部２４は、ＭＰＵ２１からの補正制御データＳＤに基づいて、入力される各色タイミング制御信号Ｒ＿ＥＮ，Ｇ＿ＥＮ，Ｂ＿ＥＮのタイミングを補正し、それぞれ、各色の補正後タイミング制御信号Ｄ＿Ｒ＿ＥＮ、Ｄ＿Ｇ＿ＥＮ，Ｄ＿Ｂ＿ＥＮとして出力する。
【００３６】
バッファ２３は、バッファ制御信号ＥＮＢがＬレベルのときは、バッファ出力がハイインピーダンスになり、メモリ２２のアドレス入力から切り離される。一方、バッファ制御信号ＥＮＢがＨレベルのときは、各色の補正後タイミング制御信号Ｄ＿Ｒ＿ＥＮ、Ｄ＿Ｇ＿ＥＮ，Ｄ＿Ｂ＿ＥＮをメモリ２２からのアドレス信号ＡＤ０，ＡＤ１，ＡＤ２として入力され、各アドレス信号ＡＤ０，ＡＤ１，ＡＤ２に対応するＬＤ発光量制御データがメモリ２２から読み出される。このとき、ＭＰＵ２１からのアドレス信号ＡＤ０〜ＡＤ２はハイインピーダンスになっている。
【００３７】
ＤＡＣ２５は、ＭＰＵ２１から出力許可信号ＬＥが受信されている期間、各色の補正後タイミング制御信号Ｄ＿Ｒ＿ＥＮ、Ｄ＿Ｇ＿ＥＮ，Ｄ＿Ｂ＿ＥＮによってメモリ２２から読み出されるＬＤ発光量制御データを受信し、アナログ信号ＤＣＶに変換して出力する。そして、後段のドライバー２６は、アナログ信号ＤＣＶを電流信号に変換して、ＬＤ駆動電流Ｉ＿ＬＤとして出力する。これにより、ＬＤ２ＡはＬＤ発光量制御データが示す発光量で発光する。一方、ＭＰＵ２１からの出力許可信号ＬＥが受信されていない期間は、ＤＡＣ２５からの出力はゼロとなるので、ＬＤ駆動電流Ｉ＿ＬＤもゼロとなり、ＬＤ２Ａは発光しない。
【００３８】
図５は、本実施形態のタイミング補正部２４における赤色のタイミング制御信号Ｒ＿ＥＮに関する部分の制御ブロック図である。
図６は、本実施形態のタイミング補正部２４における緑色のタイミング制御信号Ｒ＿ＥＮに関する部分の制御ブロック図である。
図７は、本実施形態のタイミング補正部２４における青色のタイミング制御信号Ｒ＿ＥＮに関する部分の制御ブロック図である。
図８は、図５に示す赤色のタイミング制御信号Ｒ＿ＥＮの部分に関するタイミング補正部２４の動作を示すタイミングチャートである。
なお、本実施形態において、いずれの色に関するタイミング補正部２４の構成及び動作も同じであるため、以下、赤色のタイミング制御信号Ｒ＿ＥＮを例に挙げて説明する。
【００３９】
図５に示す遷移検出部１は、入力される赤色タイミング制御信号Ｒ＿ＥＮに状態の遷移が発生したときにＨレベルになる遷移発生信号ＴＤＰ１を生成する。遷移発生信号ＴＤＰ１は、例えば、所定周波数のクロック（図示省略）で赤色タイミング制御信号Ｒ＿ＥＮをラッチし、ラッチの前後の排他的論理和（ＸＯＲ）をとるなどにより簡単に生成することができる。
【００４０】
図５に示すタイマー制御部１は、遷移発生信号ＴＤＰ１がＨレベルになると、タイマー信号ＴＭＲ１をＨレベルにする。後段のタイマー１はタイマー信号ＴＭＲ１がＨレベルになると起動して時間計測を開始する。また、図５に示すレベル保持部１は、タイマー信号ＴＭＲ１がＬレベルのときに遷移発生信号ＴＤＰ１がＨレベルになると、その遷移後の赤色タイミング制御信号Ｒ＿ＥＮのレベルを保持し、レベル信号Ｌ１として出力する。
【００４１】
図５に示すタイマー制御部２は、タイマー１の起動後に遷移発生信号ＴＤＰ１の受信が可能となる。すなわち、タイマー信号ＴＭＲ１がＨレベルになった後に、赤色タイミング制御信号Ｒ＿ＥＮに状態遷移が発生して遷移発生信号ＴＤＰ１がＨレベルになると、次は、このタイマー制御部２がタイマー信号ＴＭＲ２をＨレベルにして、後段のタイマー２を起動する。そして、図５に示すレベル保持部２は、その遷移後の赤色タイミング制御信号Ｒ＿ＥＮのレベルを保持し、レベル信号Ｌ２として出力する。
【００４２】
以後、同様に、図５に示すタイマー３及びタイマー４が順次起動して、それぞれのタイミングにおける遷移後の赤色タイミング制御信号Ｒ＿ＥＮのレベルをレベル保持部３，４によって保持し、レベル信号Ｌ３，Ｌ４を出力する。
【００４３】
図５に示すタイマー１〜４は、光源制御部２０のＭＰＵ２１から出力される補正制御データＳＤの値に対応する時間Ｔｄを計測すると、それぞれ、タイマー終了信号ＥＯＴ１〜ＥＯＴ４をＨレベルにする。これにより、後段の演算器ＡＮＤ１〜４は、それぞれ対応するタイマー終了信号ＥＯＴ１〜ＥＯＴ４がＨレベルになる期間、対応するレベル保持部１〜４からのレベル信号Ｌ１〜Ｌ４を、出力信号ＯＬ１〜ＯＬ４として出力する。
【００４４】
図５に示す出力部１は、出力信号ＯＬ１〜ＯＬ４のうちのいずれかがＨレベルになるたびに、出力信号ＯＬ１〜ＯＬ４の立ち下がりタイミングで、対応する出力信号ＯＬ１〜ＯＬ４に切り替える。このような出力信号ＯＬ１〜ＯＬ４の切り替え動作により、赤色の補正後タイミング制御信号Ｄ＿Ｒ＿ＥＮが生成され、出力部１から出力される。
【００４５】
本実施形態においては、タイマー１〜４の補正制御データＳＤの値に対応する計測時間Ｔｄは、色の循環周期Ｔｏよりも短く設定されている。そのため、次の周期で赤色タイミング制御信号Ｒ＿ＥＮの最初の状態遷移が発生する前に、タイマー１のタイマー終了信号ＥＯＴ１がＨレベルになる。そうすると、タイマー制御部１は、このタイマー終了信号ＥＯＴ１の入力によってリセットされ、タイマー信号ＴＭＲ１をＬレベルにする。その結果、タイマー１がリセットされ、レベル保持部１は、次の遷移発生信号ＴＤＰ１を受信可能な状態になって初期状態に戻る。
【００４６】
以上の動作により、補正後タイミング制御信号Ｄ＿Ｒ＿ＥＮは、赤色のタイミング制御信号Ｒ＿ＥＮの位相を、所定の遅延時間だけ遅らせた信号となる。その結果、赤色のタイミング制御信号Ｒ＿ＥＮの状態遷移タイミング（スポーク期間Ｔｓの中央のタイミング）よりも、状態遷移タイミングが僅かに早い補正後タイミング制御信号Ｄ＿Ｒ＿ＥＮを生成することができる。特に、本実施形態では、図８に示すように、タイマー時間ＴｄがＴｄ＝Ｔ０−（Ｔｓ／２＋Ｔａ）となるように補正制御データＳＤを設定することで、赤色の補正後タイミング制御信号Ｄ＿Ｒ＿ＥＮのタイミングが、図９に示すように、スポーク期間Ｔｓの開始タイミングに一致する時点まで早まっている。ここで、Ｔａは、遷移発生信号ＴＤＰ１がＨレベルとなる期間である。なお、本実施形態では、補正後のタイミングがスポーク期間Ｔｓの開始タイミングと一致するように設定しているが、補正量はこれに限るものではない。
【００４７】
赤色の補正後タイミング制御信号Ｄ＿Ｒ＿ＥＮのタイミングでＬＤ駆動電流Ｉ＿ＬＤの値が切り替わる際、切り替わり後のＬＤ駆動電流Ｉ＿ＬＤが安定するまでにはある程度の時間を要するところ、スポーク期間Ｔｓの終了タイミング（次の色表示期間の開始タイミング）までには、切り替わり後のＬＤ駆動電流Ｉ＿ＬＤが安定する必要がある。赤色のタイミング制御信号Ｒ＿ＥＮのタイミングのままだと、スポーク期間の半分の時間（Ｔｓ／２）内に、切り替わり後のＬＤ駆動電流Ｉ＿ＬＤを安定させる必要があったが、本実施形態によれば、スポーク期間の総時間（Ｔｓ）内に、切り替わり後のＬＤ駆動電流Ｉ＿ＬＤを安定させればよい。したがって、ＬＤ２Ａに求められる応答時間（切り替わった駆動電流値に安定するまでの時間）の仕様が緩和され、ＬＤ２Ａとして、大きな駆動電流値を必要とする高発光量のものや、応答時間が比較的長い安価なものなどを採用することが可能となる。
【００４８】
なお、以上の動作では、赤色のタイミング制御信号Ｒ＿ＥＮの位相を所定の遅延時間だけ遅らせて補正後タイミング制御信号Ｄ＿Ｒ＿ＥＮを生成するため、最初の赤色タイミング制御信号Ｒ＿ＥＮが出力される最初の色循環周期については、補正後タイミング制御信号Ｄ＿Ｒ＿ＥＮがＬレベルで一定の信号値をとる。緑色や青色のタイミング制御信号Ｇ＿ＥＮ，Ｂ＿ＥＮについても同様である。そのため、最初の色循環周期については、適切な射出タイミング制御を実行できない。ただし、適切な射出タイミング制御ができないのは最初の色循環周期のみの極めて短時間であるため、本プロジェクタの実用上は問題にならない。もし問題になるようなら、最初の色循環周期にはＭＰＵ２１から出力許可信号ＬＥを出力しないなどの制御を行ってＬＤ２Ａを発光させないなど、適当な制御を行っても良い。
【００４９】
〔変形例〕
次に、本実施形態における光源装置１の光源制御部の一変形例について説明する。
図１０は、本変形例における光源制御部１２０の一例を概略的に示したブロック図である。
図１１は、本変形例のタイミング補正部１２４の制御ブロック図である。
図１２は、本変形例のタイミング補正部１２４を構成する補正計測部１２４Ｂの制御ブロック図である。
図１３は、本変形例のタイミング補正部１２４を構成する補正出力部１２４Ｃの制御ブロック図である。
【００５０】
本変形例における補正計測部１２４Ｂは、図１２に示すように、タイマー９を備えている。このタイマー９は、例えば、色の循環周期Ｔｏを示すモータ５の回転検出信号ＭＸがＬレベルのときにリセットされ、Ｈレベルになると時間計測を開始して計測時間データＴＭＲ９を出力する。また、補正計測部１２４Ｂは、図１２に示すように、上述した実施形態と同様、入力される各色タイミング制御信号Ｒ＿ＥＮ，Ｇ＿ＥＮ，Ｂ＿ＥＮの状態遷移を検出して遷移発生信号ＴＤＰ１〜ＴＤＰ３を出力する遷移検出部１〜３を備えている。
【００５１】
図１２に示すタイミング制御部１は、タイマー９が起動して赤色のタイミング制御信号Ｒ＿ＥＮについて最初の状態遷移が発生して遷移発生信号ＴＤＰ１がＨレベルになると、その時点でのタイマー９の計測時間データＴＭＲ９の値を、内部に備えているレジスタに保持する。また、タイミング制御部１は、上述した実施形態におけるレベル保持部１と同様の機能を備えており、状態遷移後における赤色のタイミング制御信号Ｒ＿ＥＮのレベルを保持する。そして、タイミング制御部１は、信号ＥＮＴ２をＨレベルにして、次のタイミング制御部２において同様の動作が可能になるようにする。
【００５２】
このようにして、色循環期間Ｔｏ内における赤色のタイミング制御信号Ｒ＿ＥＮの状態遷移タイミングと状態遷移後の赤色タイミング制御信号Ｒ＿ＥＮのレベルが、各タイミング制御部１〜４内に保持される。
【００５３】
同様に、緑色及び青色のタイミング制御信号Ｇ＿ＥＮ，Ｂ＿ＥＮについても、色循環期間Ｔｏ内におけるタイミング制御信号Ｇ＿ＥＮ，Ｂ＿ＥＮの状態遷移タイミングと状態遷移後のタイミング制御信号Ｇ＿ＥＮ，Ｂ＿ＥＮのレベルが、各タイミング制御部５〜６，７〜８内に保持される。
【００５４】
本変形例における光源制御部１２０のＭＰＵ１２１は、タイミング制御部１〜４，５〜６，７〜８のいずれかを選択する選択信号Ｓ０〜Ｓ２と、データの書き込み／読み出しを制御する信号Ｗ／Ｒを生成し、タイミング補正部１２４に出力する。選択信号Ｓ０〜Ｓ２がタイミング補正部１２４に入力されると、タイミング補正部１２４のデコーダ１２４Ａは、選択信号Ｓ０〜Ｓ２に対応する出力ＳＲ１〜ＳＲ８をＨレベルにする。そして、信号Ｗ／ＲがＬレベルのとき、選択されたタイミング制御部１〜４，５〜６，７〜８に保持されているタイマー９の計測時間データＴＭＲ９の値がデータバスＤＢ２よりＭＰＵ１２１に読み出される。
【００５５】
ＭＰＵ１２１は、読み出した計測時間データＴＭＲ９の各値について、内部に保持している補正基準データを基に処理し、補正制御データを算出する。そして、今度は信号Ｗ／ＲをＨレベルにして、選択信号Ｓ０〜Ｓ２に対応して補正出力部１２４Ｃ内に設けられている比較部１〜８に対し、データバスＤＢ２を介して補正制御データを書き込む。
【００５６】
補正出力部１２４Ｃの比較部１〜８は、図１３に示すように、タイマー９の計測時間データＴＭＲ９を、内部に書き込まれた補正制御データと比較し、一致すると信号ＭＴＣＨ１〜ＭＴＣＨ８をＨレベルにする。この信号ＭＴＣＨ１〜ＭＴＣＨ８は、上述した実施形態におけるタイマー終了信号ＥＯＴ１〜ＥＯＴ８と同様の役割を果たす信号である。すなわち、後段の演算器ＡＮＤ１〜ＡＮＤ４は、それぞれ対応する信号ＭＴＣＨ１〜ＭＴＣＨ８がＨレベルになる期間、対応するタイミング計測部１〜８からのレベル信号Ｌ１〜Ｌ８を出力信号ＯＬ１〜ＯＬ８として出力する。
【００５７】
出力部１は、信号ＭＴＣＨ１〜ＭＴＣＨ４のうちいずれかがＨレベルになるたびに、対応する出力信号ＯＬ１〜ＯＬ４を赤色の補正後タイミング制御信号Ｄ＿Ｒ＿ＥＮとして出力する。
同様に、出力部２は、信号ＭＴＣＨ５〜ＭＴＣＨ６のうちいずれかがＨレベルになるたびに、対応する出力信号ＯＬ５〜ＯＬ６を緑色の補正後タイミング制御信号Ｄ＿Ｇ＿ＥＮとして出力する。
同様に、出力部３は、信号ＭＴＣＨ７〜ＭＴＣＨ８のうちいずれかがＨレベルになるたびに、対応する出力信号ＯＬ７〜ＯＬ８を青色の補正後タイミング制御信号Ｄ＿Ｂ＿ＥＮとして出力する。
【００５８】
以上の動作により、本変形例においても、各色タイミング制御信号Ｒ＿ＥＮ，Ｇ＿ＥＮ，Ｂ＿ＥＮのタイミング（スポーク期間Ｔｓの中央のタイミング）よりも早い補正後タイミング制御信号Ｄ＿Ｒ＿ＥＮ，Ｄ＿Ｇ＿ＥＮ，Ｄ＿Ｂ＿ＥＮを生成することができる。特に、本変形例も、各色補正後タイミング制御信号Ｄ＿Ｒ＿ＥＮ，Ｄ＿Ｇ＿ＥＮ，Ｄ＿Ｂ＿ＥＮのタイミングを、図９に示すように、スポーク期間Ｔｓの開始タイミングまで早めている。よって、上述した実施形態と同様、ＬＤ２Ａに求められる応答時間の仕様が緩和され、ＬＤ２Ａとして、大きな駆動電流値を必要とする高発光量のものや、応答時間が比較的長い安価なものなどを採用することが可能となる。
【００５９】
本実施形態（前記変形例を含む。）においては、各色タイミング制御信号Ｒ＿ＥＮ，Ｇ＿ＥＮ，Ｂ＿ＥＮがＨレベルになるタイミングを各色の光の射出タイミングとした例である。そのため、各色タイミング制御信号Ｒ＿ＥＮ，Ｇ＿ＥＮ，Ｂ＿ＥＮの位相を遅延させることにより、各色タイミング制御信号の状態遷移タイミングよりも状態遷移タイミングが僅かに早い補正後タイミング制御信号Ｄ＿Ｒ＿ＥＮ，Ｄ＿Ｇ＿ＥＮ，Ｄ＿Ｂ＿ＥＮを生成したが、このような補正後タイミング制御信号の生成方法は、これに限られない。例えば、各色タイミング制御信号が各色の光の射出タイミングを示すデータ信号（例えば、所定クロック数の後に射出することを示すデータ信号）である場合には、各色タイミング制御信号が示すクロック数よりも少ないクロック数の後に射出するような射出タイミング制御を実施することで、各色タイミング制御信号の状態遷移タイミングよりも状態遷移タイミングが僅かに早い補正後タイミング制御信号を生成できる。
【００６０】
以上に説明したものは一例であり、次の態様毎に特有の効果を奏する。
（態様Ａ）
本体制御処理部２０１の制御部２０１Ａ等の上位制御手段から出力される各色タイミング制御信号Ｒ＿ＥＮ，Ｇ＿ＥＮ，Ｂ＿ＥＮに基づく射出タイミングで、それぞれ対応する色（赤、青、黄、緑）の光を順次射出する光源装置１において、前記各色タイミング制御信号Ｒ＿ＥＮ，Ｇ＿ＥＮ，Ｂ＿ＥＮに基づいて、各色の光がそれぞれ射出されるＧｒｅｅｎ表示期間Ｔｇ、Ｒｅｄ表示期間Ｔｒ、Ｂｌｕｅ表示期間Ｔｂ、Ｙｅｌｌｏｗ表示期間Ｔｙ等の各射出期間の間に設定されるスポーク期間Ｔｓ等の所定の色切り替わり猶予期間内で該各色タイミング制御信号に対応する予定射出タイミング（スポーク期間Ｔｓの中央のタイミング）よりも早い射出タイミング（スポーク期間Ｔｓの開始タイミング等）で各色の光が順次射出されるように、各色光の射出タイミングを制御する光源制御部２０等の射出タイミング制御手段を有することを特徴とする。
光源装置から射出される光の色を切り替える際に光源の発光量（駆動電流値等）を変更するとき、変更後の発光量が安定するまでにはある程度の時間を要する。上位制御手段から出力される各色タイミング制御信号が示す射出タイミングで各色の光を順次射出する場合、その射出タイミング（スポーク期間Ｔｓの中央のタイミング）からスポーク期間Ｔｓ（色切り替わり猶予期間）の終了タイミングまでの時間内に、変更後の発光量が安定する光源を採用する必要がある。本態様によれば、色切り替わり猶予期間内で上位制御手段から出力される各色タイミング制御信号に対応する予定射出タイミングよりも早い射出タイミングで各色の光を射出できる。よって、予定射出タイミングで各色の光を射出する場合よりも、変更後の発光量を安定させる時間を長くとることができる。したがって、既存の制御デバイスで構成される上位制御手段から出力されるタイミング制御信号を利用しつつ、光源に求められる応答時間（切り替わった発光量で安定するまでの時間）の仕様が緩和され、より高い発光量の光源を採用することが可能となる。
【００６１】
〔態様Ｂ〕
前記態様Ａにおいて、前記各色タイミング制御信号Ｒ＿ＥＮ，Ｇ＿ＥＮ，Ｂ＿ＥＮは、対応する色光を射出する期間を示す信号値（Ｈレベル）と射出しない期間を示す信号値（Ｌレベル）とをもつものであり、前記射出タイミング制御手段は、前記各色タイミング制御信号の信号値変化（状態遷移）が発生したことを検知することにより、該各色タイミング制御信号が示す射出タイミングを取得し、取得した射出タイミングよりも早い射出タイミングを示す各色の補正後タイミング制御信号Ｄ＿Ｒ＿ＥＮ，Ｄ＿Ｇ＿ＥＮ，Ｄ＿Ｂ＿ＥＮを生成し、生成した各色の補正後タイミング制御信号が示す射出タイミングで各色の光が順次射出されるように制御することを特徴とする。
これによれば、既存の制御デバイスで構成される上位制御手段から出力されるタイミング制御信号を利用しつつ、より高い発光量の光源の採用を可能にする射出タイミング制御手段を比較的に容易に実現できる。
【００６２】
〔態様Ｃ〕
前記態様Ｂにおいて、当該光源装置１から射出する複数色の光の循環周期Ｔｏを検知するモータ５の回転検知手段等の色循環周期検知手段と、前記各色タイミング制御信号が示す射出タイミングに対する各色の補正後タイミング制御信号の補正量を決定するための補正基準データ等の補正情報を記憶するＭＰＵ２１，１２１内のメモリ等の補正情報記憶手段とを備え、前記射出タイミング制御手段は、前記色循環周期検知手段が検知した循環周期Ｔｏと前記補正情報記憶手段に記憶されている補正情報とに基づいて、取得した前記各色タイミング制御信号Ｒ＿ＥＮ，Ｇ＿ＥＮ，Ｂ＿ＥＮが示す射出タイミングから前記各色の補正後タイミング制御信号Ｄ＿Ｒ＿ＥＮ，Ｄ＿Ｇ＿ＥＮ，Ｄ＿Ｂ＿ＥＮを生成することを特徴とする。
これによれば、既存の制御デバイスで構成される上位制御手段から出力されるタイミング制御信号を利用しつつ、より高い発光量の光源の採用を可能にする構成を比較的に容易に実現できる。
【００６３】
〔態様Ｄ〕
前記態様Ｃにおいて、前記色循環周期検知手段は、当該光源装置１から射出する複数色の光の循環周期に同期したモータ５の回転検出信号ＭＸ等の同期信号に基づいて前記循環周期を検知することを特徴とする。
これによれば、当該光源装置１から射出する複数色の光の循環周期を容易に取得することができる。
【００６４】
〔態様Ｅ〕
前記態様Ｄにおいて、当該光源装置１から射出する複数色の光の循環周期に同期して回転駆動するモータ５等の回転駆動手段と、前記回転駆動手段の回転周期を検知する回転検知手段とを備え、前記色循環周期検知手段は、前記回転検知手段の回転検出信号ＭＸ等の検知結果信号を前記同期信号として用いることを特徴とする。
これによれば、当該光源装置１から射出する複数色の光の循環周期を容易に取得することができる。
【００６５】
〔態様Ｆ〕
前記態様Ｃにおいて、前記色循環周期検知手段は、前記各色タイミング制御信号Ｒ＿ＥＮ，Ｇ＿ＥＮ，Ｂ＿ＥＮのうちの少なくとも１つのタイミング制御信号における信号値が変化する時間間隔を計測することにより、前記循環周期を検知することを特徴とする。
これによれば、光源装置１から射出する複数色の光の循環周期に同期した同期信号が存在しないシステムにおいても、当該光源装置１から射出する複数色の光の循環周期を容易に取得することができる。
【００６６】
〔態様Ｇ〕
前記態様Ｃ〜Ｆのいずれかの態様において、前記射出タイミング制御手段は、前記色循環周期検知手段が検知した循環周期Ｔｏと前記補正情報記憶手段に記憶されている補正情報とに基づいて所定の遅延時間を取得し、前記各色タイミング制御信号が示す射出タイミングを該所定の遅延時間分だけ遅延させることにより、該各色タイミング制御信号から前記各色の補正後タイミング制御信号を生成することを特徴とする。
これによれば、射出タイミング制御手段を比較的容易に実現することができる。
【００６７】
〔態様Ｈ〕
前記態様Ｇにおいて、前記射出タイミング制御手段は、前記各色タイミング制御信号ごとに、当該光源装置から射出する複数色の光の一循環周期内に当該タイミング制御信号の信号値変化が発生する回数以上のタイマー１〜９等の計時手段を有し、該信号値変化が発生するたびに各計時手段を選択して計時を開始させ、各計時手段が前記所定の遅延時間分の計測を終了するたびに、対応する信号値をもつ補正後タイミング制御信号を生成することを特徴とする。
これによれば、射出タイミング制御手段を比較的容易に実現することができる。
【００６８】
〔態様Ｉ〕
前記態様Ｃ〜Ｆのいずれかの態様において、前記射出タイミング制御手段は、前記色循環周期検知手段が検知した循環周期に対して前記各色タイミング制御信号の信号値変化が発生するタイミングを取得し、取得した各タイミングを前記補正情報記憶手段に記憶されている補正情報に基づいて補正した補正後のタイミングで信号値が変化する各色の補正後タイミング制御信号を生成することを特徴とする。
これによれば、射出タイミング制御手段を比較的容易に実現することができる。
【００６９】
〔態様Ｊ〕
光源装置１と、照射される光を画像信号に基づいて画像光に変調する表示素子２０５と、前記光源装置から射出される光を前記表示素子に照射する導光装置２０２、集光レンズ群２０３及び反射ミラー２０４等の照明光学系と、前記表示素子によって変調された画像光を投射する投射レンズ群２０６等の投射光学系と、前記光源装置から各色の光がそれぞれ射出されるＧｒｅｅｎ表示期間Ｔｇ、Ｒｅｄ表示期間Ｔｒ、Ｂｌｕｅ表示期間Ｔｂ、Ｙｅｌｌｏｗ表示期間Ｔｙ等の各射出期間の間に設定されるスポーク期間Ｔｓ等の所定の色切り替わり猶予期間の開始タイミングと終了タイミングに基づいて上記表示素子を制御する制御部２０１Ａ等の上位制御手段とを有するプロジェクタ２００等の画像投射装置であって、前記光源装置として、前記態様Ａ〜Ｉのいずれかの態様に係る光源装置を用いることを特徴とする。
これによれば、既存の制御デバイスで構成される上位制御手段から出力されるタイミング制御信号を利用しつつ、より高輝度の画像を表示することが可能となる。
【符号の説明】
【００７０】
１  光源装置
２  ＬＤモジュール
２Ａ  ＬＤ
４  蛍光ホイール
５  モータ
６Ａ，６Ｂ，６Ｃ  集光光学系
７Ａ，７Ｂ  ダイクロイックミラー
８Ａ，８Ｂ，８Ｃ，８Ｄ  リレーレンズ
９Ａ，９Ｂ  反射ミラー
１０  光源部
２０，１２０  光源制御部
２１，１２１  ＭＰＵ
２２，１２２  メモリ
２３，１２３  バッファ
２４，１２４  タイミング補正部
２５，１２５ ＤＡＣ
２６，１２６ ドライバー
１２４Ａ  デコーダ
１２４Ｂ  補正計測部
１２４Ｃ  補正出力部
２００  プロジェクタ
２０１  本体制御処理部
２０１Ａ  制御部
２０１Ｂ  表示駆動部
２０２  導光装置
２０３  集光レンズ群
２０４  反射ミラー
２０５  表示素子
２０６  投射レンズ群
【先行技術文献】
【特許文献】
【００７１】
【特許文献１】特開２０１３−８８５７４号公報
【図１】
0006481884.tif 000002
【図２】
0006481884.tif 000003
【図３】
0006481884.tif 000004
【図４】
0006481884.tif 000005
【図５】
0006481884.tif 000006
【図６】
0006481884.tif 000007
【図７】
0006481884.tif 000008
【図８】
0006481884.tif 000009
【図９】
0006481884.tif 000010
【図１０】
0006481884.tif 000011
【図１１】
0006481884.tif 000012
【図１２】
0006481884.tif 000013
【図１３】
0006481884.tif 000014
【図１４】
0006481884.tif 000015